(57)【要約】【課題】装置の大型化を抑制できる時計を提供する。【解決手段】時計１は、時計モードとクロノグラフモードとを選択可能な時計１において、時計モードが選択された場合に時刻を指示する時針３１および分針３２と、クロノグラフモードが選択された場合に、時針３１および分針３２の運針を同時に開始させることで時間計測を開始し、時針３１の運針を停止させることで停止時の計測時間を指示し、分針３２の運針を継続させることで時間計測を継続するように制御する主制御部と、を備える。【選択図】図１１
2018116042.tif 000002
【特許請求の範囲】
【請求項１】
時計モードとクロノグラフモードとを選択可能な時計において、
前記時計モードが選択された場合に時刻を指示する時針、分針および秒針と、
前記クロノグラフモードが選択された場合に、前記時針、前記分針および前記秒針のうち少なくとも２つの針の運針を同時に開始させることで時間計測を開始し、前記少なくとも２つの針のうち一の針の運針を停止させることで停止時の計測時間を指示し、前記少なくとも２つの針のうち他の針の運針を継続させることで時間計測を継続するように制御する制御部と、を備える、
ことを特徴とする時計。
【請求項２】
前記時針を駆動する第１モータと、
前記分針を駆動する第２モータと、
前記秒針を駆動する第３モータと、を備え、
前記制御部は、前記時計モードが選択された場合に、前記第１モータ、前記第２モータおよび前記第３モータにより、前記時針、前記分針および前記秒針を駆動し、前記クロノグラフモードが選択された場合に、前記第１モータ、前記第２モータおよび前記第３モータのうち少なくとも２つのモータにより、前記少なくとも２つの針を駆動する、
ことを特徴とする請求項１に記載の時計。
【請求項３】
前記少なくとも２つの針の１周にかかるステップ数が同一となるように構成された輪列機構を備える、
ことを特徴とする請求項１または２に記載の時計。
【請求項４】
前記制御部は、前記時計モードにおける前記時針および前記分針を、前記クロノグラフモードにおける前記少なくとも２つの針であって、計測時間の秒を指示する針として制御する、
ことを特徴とする請求項３に記載の時計。
【請求項５】
前記制御部は、前記クロノグラフモードが選択された場合に、前記一の針の運針を再開する際、前記一の針を前記他の針の位置まで時計回り方向に早送りさせるように制御する、
ことを特徴とする請求項１から４のいずれか１項に記載の時計。
【請求項６】
前記制御部は、前記クロノグラフモードが選択され、かつ前記一の針の運針の再開が前記一の針の運針停止から１分以上経過した場合、前記一の針を少なくとも１周回転させる、
ことを特徴とする請求項５に記載の時計。
【請求項７】
前記少なくとも２つの針は、第１針および第２針を含み、
前記制御部は、
前記第１針および前記第２針を基準位置から運針させるように制御する運針開始ステップと、
前記第１針および前記第２針の運針を停止させる運針停止ステップと、
運針を停止された前記第１針および前記第２針が前記基準位置から所定の角度範囲外に位置しているか否かを判定する針位置判定ステップと、
前記針位置判定ステップにおいて前記第１針および前記第２針が前記基準位置から所定の角度範囲外に位置していると判定した場合、前記第１針および前記第２針を互いに逆方向に回転させて基準位置に移動させる２方向帰針ステップと、
前記針位置判定ステップにおいて前記第１針および前記第２針のうち少なくとも一方の針が前記基準位置から所定の角度範囲外に位置してないと判定した場合、前記第１針および前記第２針を最短距離で前記基準位置に移動させる最短帰針ステップと、
を前記クロノグラフモードが選択された場合に実行する、
ことを特徴とする請求項１から６のいずれか１項に記載の時計。
【請求項８】
前記制御部は、前記クロノグラフモードから前記時計モードを含む前記クロノグラフモード以外の動作モードに切り替える場合に、前記少なくとも２つの針が含む一対の針のそれぞれの目標位置まで前記一対の針を互いに逆方向に回転させるように制御する、
ことを特徴とする請求項１から７のいずれか１項に記載の時計。
【請求項９】
前記制御部は、前記少なくとも２つの針が含む一対の針のうち、現在位置から前記目標位置までの反時計回り方向における距離が短い一方の針を反時計回りに逆転させ、他方の針を時計回りに正転させるように制御する、
ことを特徴とする請求項８に記載の時計。
【請求項１０】
前記制御部は、前記時計モードが選択された場合における前記秒針を、前記クロノグラフモードが選択された場合における計測時間の分を指示する針として制御する、
ことを特徴とする請求項４に記載の時計。
【請求項１１】
前記時針を駆動する第１モータと、
前記分針を駆動する第２モータと、
前記第１モータおよび前記第２モータを駆動する電力を発電する太陽電池と、を備える、
ことを特徴とする請求項４から１０のいずれか１項に記載の時計。
【請求項１２】
前記少なくとも２つの針の１周にかかるステップ数が同一となるように構成された輪列機構を備え、
前記ステップ数は、６０の倍数である、
ことを特徴とする請求項１から１１のいずれか１項に記載の時計。
【請求項１３】
前記少なくとも２つの針の１周にかかるステップ数が同一となるように構成された輪列機構を備え、
Ｎを１以上の整数としたとき、
前記ステップ数は、６０に２のＮ乗を乗じた値である、
ことを特徴とする請求項１から１１のいずれか１項に記載の時計。
【請求項１４】
前記時計モードおよび前記クロノグラフモードとは異なるモードの情報を表示可能な副表示部を備え、
前記制御部は、前記クロノグラフモードが選択された場合に、前記時計モードが選択された場合に表示していた時刻を前記副表示部において表示する、
ことを特徴とする請求項１から１３のいずれか１項に記載の時計。
【請求項１５】
前記停止時の計測時間を外部機器に送信すること、および前記一の針の運針を開始させる処理および停止させる処理のうち少なくとも１つの処理を実行させる外部からの電波を受信すること、のうち少なくともいずれか一方が可能な通信部と、を備える、
ことを特徴とする請求項１から１４のいずれか１項に記載の時計。
【請求項１６】
前記クロノグラフモードの選択、および前記クロノグラフモードが選択された場合の時間計測の開始を実行する場合に操作される入力部を備え、
前記制御部は、前記入力部からの入力に応じて、前記少なくとも２つの針を基準位置に向けて移動させるとともに、時間計測を開始する、
ことを特徴とする請求項１から１５のいずれか１項に記載の時計。
【請求項１７】
時針、分針および秒針により時刻を表示する時計モードと、
前記時針、前記分針および前記秒針のうち少なくとも１つの針によりスプリットタイムを表示するクロノグラフモードと、を選択可能である、
ことを特徴とする時計。
【発明の詳細な説明】
【技術分野】
【０００１】
本発明は、時計に関するものである。
【背景技術】
【０００２】
ボタン操作によりスプリットタイムやラップタイムを計測可能な電子時計がある。例えば特許文献１には、デジタル式の時計として、スタート操作から経過した経過時間や、ラップ時間（ラップタイム）、スプリット時間（スプリットタイム）を表示する表示手段を有するストップウォッチが記載されている。なお、スプリットタイムとは、計測開始時からの途中経過時間のことをいい、ラップタイムとは、指定された計測途中の時刻からの途中経過時間のことをいう。
【０００３】
また、スプリットタイムを計測可能なアナログ式の時計として、時間計測時に運針が開始される針が、スプリットタイムを計測するためのボタン操作により停止することで、スプリットタイムを指示するものがある。しかしながら、このような時計では、スプリットタイムを表示するために針の運針が停止されるので、ボタン操作後に計測開始時からの経過時間を認識することができない。
【０００４】
そこで、スプリットタイムを計測可能なアナログ式の時計として、時間計測時に時針、分針および秒針とは異なる２本の針（以下、「クロノグラフ針」という。）により、スプリットタイム、および計測開始時からの全経過時間の両方を同時に表示するものがある。具体的に、このような時計では、時間計測時に２本のクロノグラフ針が重なるように略同等の速度で運針する。そして、スプリットタイムを計測するためのボタン操作により、一方のクロノグラフ針の運針を停止させてスプリットタイムを表示するとともに、他方のクロノグラフ針の運針を継続させて、ボタン操作後も計測開始時からの全経過時間を表示する。また、再度ボタン操作を行うことで、運針が停止していた一方のクロノグラフ針を、他方のクロノグラフ針の位置まで早送りし、再度２本のクロノグラフ針を重なった状態で運針させて、計測開始時からの全経過時間を２本のクロノグラフ針により表示する。
【先行技術文献】
【特許文献】
【０００５】
【特許文献１】特開平５−１９６７５６号公報
【発明の概要】
【発明が解決しようとする課題】
【０００６】
しかしながら、上記従来のアナログ式の時計では、スプリットタイム、および計測開始時からの全経過時間の両方を同時に表示するために、時針、分針および秒針とは異なる２本のクロノグラフ針が必要となる。このため、２本のクロノグラフ針を各別に駆動するためのモータ等の駆動源、および駆動源の駆動力を伝達する輪列も必要となることから、時計の構成部品が増加して時計の小型化を損なう可能性がある。
【０００７】
そこで本発明は、アナログ針によりクロノグラフの計測時間を表示する時計において、装置の大型化を抑制できる時計を提供するものである。
【課題を解決するための手段】
【０００８】
本発明の時計は、時計モードとクロノグラフモードとを選択可能な時計において、前記時計モードが選択された場合に時刻を指示する時針、分針および秒針と、前記クロノグラフモードが選択された場合に、前記時針、前記分針および前記秒針のうち少なくとも２つの針の運針を同時に開始させることで時間計測を開始し、前記少なくとも２つの針のうち一の針の運針を停止させることで停止時の計測時間を指示し、前記少なくとも２つの針のうち他の針の運針を継続させることで時間計測を継続するように制御する制御部と、を備える、ことを特徴とする。
【０００９】
上記の時計において、前記時針を駆動する第１モータと、前記分針を駆動する第２モータと、前記秒針を駆動する第３モータと、を備え、前記制御部は、前記時計モードが選択された場合に、前記第１モータ、前記第２モータおよび前記第３モータにより、前記時針、前記分針および前記秒針を駆動し、前記クロノグラフモードが選択された場合に、前記第１モータ、前記第２モータおよび前記第３モータのうち少なくとも２つのモータにより、前記少なくとも２つの針を駆動することが望ましい。
【００１０】
上記の時計において、前記少なくとも２つの針の１周にかかるステップ数が同一となるように構成された輪列機構を備えることが望ましい。
【００１１】
上記の時計において、前記制御部は、前記時計モードにおける前記時針および前記分針を、前記クロノグラフモードにおける前記少なくとも２つの針であって、計測時間の秒を指示する針として制御することが望ましい。
【００１２】
上記の時計において、前記制御部は、前記クロノグラフモードが選択された場合に、前記一の針の運針を再開する際、前記一の針を前記他の針の位置まで時計回り方向に早送りさせるように制御することが望ましい。
【００１３】
上記の時計において、前記制御部は、前記クロノグラフモードが選択され、かつ前記一の針の運針の再開が前記一の針の運針停止から１分以上経過した場合、前記一の針を少なくとも１周回転させることが望ましい。
【００１４】
上記の時計において、前記少なくとも２つの針は、第１針および第２針を含み、前記制御部は、前記第１針および前記第２針を基準位置から運針させるように制御する運針開始ステップと、前記第１針および前記第２針の運針を停止させる運針停止ステップと、運針を停止された前記第１針および前記第２針が前記基準位置から所定の角度範囲外に位置しているか否かを判定する針位置判定ステップと、前記針位置判定ステップにおいて前記第１針および前記第２針が前記基準位置から所定の角度範囲外に位置していると判定した場合、前記第１針および前記第２針を互いに逆方向に回転させて基準位置に移動させる２方向帰針ステップと、前記針位置判定ステップにおいて前記第１針および前記第２針のうち少なくとも一方の針が前記基準位置から所定の角度範囲外に位置してないと判定した場合、前記第１針および前記第２針を最短距離で前記基準位置に移動させる最短帰針ステップと、を前記クロノグラフモードが選択された場合に実行することが望ましい。
【００１５】
上記の時計において、前記制御部は、前記クロノグラフモードから前記時計モードを含む前記クロノグラフモード以外の動作モードに切り替える場合に、前記少なくとも２つの針が含む一対の針のそれぞれの目標位置まで前記一対の針を互いに逆方向に回転させるように制御することが望ましい。
【００１６】
上記の時計において、前記制御部は、前記少なくとも２つの針が含む一対の針のうち、現在位置から前記目標位置までの反時計回り方向における距離が短い一方の針を反時計回りに逆転させ、他方の針を時計回りに正転させるように制御することが望ましい。
【００１７】
上記の時計において、前記制御部は、前記時計モードが選択された場合における前記秒針を、前記クロノグラフモードが選択された場合における計測時間の分を指示する針として制御することが望ましい。
【００１８】
上記の時計において、前記時針を駆動する第１モータと、前記分針を駆動する第２モータと、前記第１モータおよび前記第２モータを駆動する電力を発電する太陽電池と、を備えることが望ましい。
【００１９】
上記の時計において、前記少なくとも２つの針の１周にかかるステップ数が同一となるように構成された輪列機構を備え、前記ステップ数は、６０の倍数であることが望ましい。
【００２０】
上記の時計において、前記少なくとも２つの針の１周にかかるステップ数が同一となるように構成された輪列機構を備え、Ｎを１以上の整数としたとき、前記ステップ数は、６０に２のＮ乗を乗じた値であることが望ましい。
【００２１】
上記の時計において、前記時計モードおよび前記クロノグラフモードとは異なるモードの情報を表示可能な副表示部を備え、前記制御部は、前記クロノグラフモードが選択された場合に、前記時計モードが選択された場合に表示していた時刻を前記副表示部において表示することが望ましい。
【００２２】
上記の時計において、前記停止時の計測時間を外部機器に送信すること、および前記一の針の運針を開始させる処理および停止させる処理のうち少なくとも１つの処理を実行させる外部からの電波を受信すること、のうち少なくともいずれか一方が可能な通信部と、を備えることが望ましい。
【００２３】
上記の時計において、前記クロノグラフモードの選択、および前記クロノグラフモードが選択された場合の時間計測の開始を実行する場合に操作される入力部を備え、前記制御部は、前記入力部が操作された場合に、前記少なくとも２つの針を基準位置に向けて移動させるとともに、時間計測を開始することが望ましい。
【００２４】
本発明の時計は、時針、分針および秒針により時刻を表示する時計モードと、前記時針、前記分針および前記秒針のうち少なくとも１つの針によりスプリットタイムを表示するクロノグラフモードと、を選択可能である、ことを特徴とする。
【発明の効果】
【００２５】
本発明によれば、アナログ針によりクロノグラフの計測時間を表示する時計の大型化を抑制できる。
【図面の簡単な説明】
【００２６】
【図１】第１実施形態に係る時計の構成例を示すブロック図である。
【図２】第１実施形態に係る時計の平面図である。
【図３】第１実施形態に係る時計が実行する動作モード切り替えの処理の流れを示したフローチャートである。
【図４】第１実施形態に係る時計の動作モード切り替え時における動作を説明する図である。
【図５】第１実施形態に係る時計が実行するクロノグラフモードの処理の流れを示したフローチャートである。
【図６】第１実施形態に係る時計における針を基準位置へ移動させる処理の流れを示したフローチャートである。
【図７】第１実施形態に係る時計における時針の運針を再開させる処理の流れを示したフローチャートである。
【図８】第１実施形態に係る時計のクロノグラフモードにおける動作を説明する図である。
【図９】第１実施形態に係る時計のクロノグラフモードにおける動作を説明する図である。
【図１０】第１実施形態に係る時計のクロノグラフモードにおける動作を説明する図である。
【図１１】第１実施形態に係る時計のクロノグラフモードにおける動作を説明する図である。
【図１２】第１実施形態に係る時計のクロノグラフモードにおける動作を説明する図である。
【図１３】第１実施形態に係る時計のクロノグラフモードにおける動作を説明する図である。
【図１４】第１実施形態に係る時計のクロノグラフモードにおける動作を説明する図である。
【図１５】第１実施形態の変形例に係る時計の構成例を示すブロック図である。
【図１６】第２実施形態に係る時計が実行するクロノグラフモードの処理の流れを示したフローチャートである。
【発明を実施するための形態】
【００２７】
以下、本発明の実施形態を図面に基づいて説明する。なお以下の説明では、同一または類似の機能を有する構成に同一の符号を付す。そして、それら構成の重複する説明は省略する場合がある。なお、実施形態の時計は、針を有するアナログクォーツ式時計である。
【００２８】
［第１実施形態］
最初に、第１実施形態に係る時計の構成について説明する。
図１は、第１実施形態に係る時計の構成例を示すブロック図である。
図１に示すように、時計１は、ケース１０と、表示部２０と、電源部４０と、発振回路５０と、分周回路６０と、入力部７０と、主制御部８０（制御部）と、通信部９０と、記憶部１００と、駆動部１１０と、を備えている。時計１は、後述する主時計部２において現在時刻を表示する時計モードや、主時計部２において時間計測を行うクロノグラフモード、主時計部２において残時間表示を行うタイマーモード、予め設定されたタイムゾーンの現在時刻を主時計部２に表示するデュアルタイムモード等の動作モードを選択可能である。動作モードの選択は、使用者が入力部７０を操作することにより行われる。また、時計１は、無線のネットワークを介して端末９（外部機器）と通信を行い、情報の送受信を行う。
【００２９】
端末９は、通信機能を有する機器、例えばスマートフォンやタブレット端末等である。端末９は、例えば操作部、表示部、制御部、ＧＰＳ（Ｇｌｏｂａｌ  Ｐｏｓｉｔｉｏｎｉｎｇ  Ｓｙｓｔｅｍ；グローバル・ポジショニング・システム）、通信部、電池等を含んで構成されている。端末９は、ＧＰＳを用いて取得した時刻情報や位置情報、動作指示等を、ネットワークを介して時計１へ送信する。
【００３０】
＜ケース＞
図２は、第１実施形態に係る時計の平面図である。
図２に示すように、ケース１０は、胴１１と、裏蓋（不図示）と、ガラス１２と、ベゼル１３と、を備えている。胴１１は、円筒状に形成されている。胴１１には、ベゼル１３が嵌合されている。胴１１の一方の開口は、ベゼル１３を介してガラス１２により閉塞されている。胴１１の他方の開口は、裏蓋（不図示）により閉塞されている。なお、以下の説明では、ケース１０の裏蓋から見たガラス１２側を表側と称し、その反対側を裏側と称する。
【００３１】
＜表示部＞
表示部２０は、文字板２１と、ダイヤルリング２７と、複数の針３１〜３６と、日車３８と、を備えている。なお、表示部２０は、上述したベゼル１３を含んでいてもよい。複数の針３１〜３６は、時刻を表示可能な時針３１、分針３２および秒針３３と、時針３１、分針３２および秒針３３が表示する時刻とは異なる時刻を表示可能な小時針３４および小分針３５と、時計１が実行しているモード情報等を表示可能なモード針３６と、である。文字板２１は、後述する太陽電池４１により円形状に形成され、ケース１０の胴１１の内側に配置されている。文字板２１は、時針３１、分針３２および秒針３３に対応する主目盛２２と、小時針３４および小分針３５に対応する小目盛２３と、モード針３６に対応するモード目盛２４と、日車３８の日文字３９を表示する小窓２５と、を表側に備えている。モード目盛り２４は、時計１が実行可能な各種モードの名称等が明示された文字列等である。
【００３２】
ダイヤルリング２７は、ケース１０の胴１１の内側において、ベゼル１３の内周に取り付けられている。ダイヤルリング２７は、文字板２１の外周に沿って配置されている。
【００３３】
複数の針３１〜３６は、それぞれ文字板２１の表側に配置されている。
時針３１、分針３２および秒針３３は、文字板２１の中央を通る第１回転軸Ｏ回りに回転する。時針３１は、第１回転軸Ｏに直交する方向に沿って延びている。分針３２は、第１回転軸Ｏに直交する方向に沿って時針３１よりも長く延びている。分針３２の先端３２ａは、時針３１の先端３１ａよりも第１回転軸Ｏから離れ、時針３１の先端３１ａよりもダイヤルリング２７に近く位置している。秒針３３は、第１回転軸Ｏに直交する方向に沿って分針３２よりも長く延びている。秒針３３の先端３３ａは、分針３２の先端３２ａよりも第１回転軸Ｏから離れ、分針３２の先端３２ａよりもダイヤルリング２７に近く位置している。
【００３４】
時針３１、分針３２および秒針３３は、これらの先端３１ａ〜３３ａを文字板２１の主目盛２２に合せることで、時計モードが選択された場合に時刻を指示し、クロノグラフモードが選択された場合に計測時間を指示する。これにより、時針３１、分針３２、秒針３３および主目盛２２は、時刻や計測時間を表示する主時計部２を構成している。
【００３５】
小時針３４および小分針３５は、第２回転軸Ｐ回りに回転する。第２回転軸Ｐは、第１回転軸Ｏから見て９時方向の位置に設けられている。小時針３４は、第２回転軸Ｐに直交する方向に沿って延びている。小分針３５は、第２回転軸Ｐに直交する方向に沿って小時針３４よりも長く延びている。
【００３６】
小時針３４および小分針３５は、これらの先端を文字板２１の小目盛２３に合せることで、時刻を指示可能に形成されている。これにより、小時針３４、小分針３５および小目盛２３は、時刻を表示する小時計部３（副表示部）を構成している。小時計部３は、時計モードおよびクロノグラフモードとは異なるモードの情報を表示可能となっている。小時計部３は、クロノグラフモードが選択された場合に、時計モードが選択された場合に主時計部２において表示していた現在時刻を表示する。
【００３７】
モード針３６は、第３回転軸Ｑ回りに回転する。第３回転軸Ｑは、第１回転軸Ｏから見て６時方向の位置に設けられている。モード針３６は、その先端を文字板２１のモード目盛２４に合せることで、例えば使用者が実行可能なモードや、時計１において実行されているモード等を指示する。
【００３８】
日車３８は、文字板２１の裏側に配置されている。日車３８は、第１回転軸Ｏ回りに回転する。日車３８の表側を向く面には、日文字３９が明示されている。日車３８は、日文字３９を文字板２１の小窓２５を通じて表側に露出させることで、日付を表示する。
【００３９】
＜電源部＞
図１に示すように、電源部４０は、太陽電池４１と、充放電制御回路４２と、二次電池４３と、を備えている。
太陽電池４１は、例えばソーラーパネルであって、文字板２１を形成している。太陽電池４１は、受光面を表側に向けた状態で配置されている。太陽電池４１は、光エネルギーを電力に変換し、充放電制御回路４２を介して変換した電力を二次電池４３に供給する。
【００４０】
二次電池４３は、太陽電池４１から供給された電気エネルギーを蓄える蓄電池である。二次電池４３は、例えばリチウムイオンポリマー電池である。二次電池４３は、蓄えた電力を主制御部８０と通信部９０とに供給する。
充放電制御回路４２は、太陽電池４１によって発電された電力の二次電池４３への充電を制御する。充放電制御回路４２は、二次電池４３に蓄電されている電力の、主制御部８０および通信部９０への供給を制御する。
【００４１】
＜発振回路＞
発振回路５０は、水晶振動子と組み合わせることで発振器を実現する回路である。発振回路５０は、生成した所定の周波数の信号を分周回路６０に出力する。
【００４２】
＜分周回路＞
分周回路６０は、発振回路５０が出力した所定の周波数の信号を分周し、分周した信号を主制御部８０に出力する。
【００４３】
＜入力部＞
入力部７０は、動作モードの選択や、クロノグラフモードが選択された場合の時間計測の開始を実行する場合等に操作される。入力部７０は、スタート／ストップボタン７１、リセットボタン７２、および竜頭７４を備えている。入力部７０は、ケース１０の胴１１の側面に配置されている。スタート／ストップボタン７１は、第１回転軸Ｏから見て２時の位置に設けられている。リセットボタン７２は、第１回転軸Ｏから見て４時の位置に設けられている。竜頭７４は、スタート／ストップボタン７１とリセットボタン７２との間に設けられている。入力部７０は、使用者により操作（例えば押圧操作や回転操作）された場合に、この操作に応じた操作信号を主制御部８０に出力する。
【００４４】
＜主制御部＞
主制御部８０は、入力部７０が出力した操作結果に基づいて、時計１が備える各構成要素の制御を行う。主制御部８０は、電源制御部８１と、駆動制御部８２と、を備えている。
【００４５】
電源制御部８１は、二次電池４３から供給される電力を、所望の電圧値に降圧して、各回路に供給する。
駆動制御部８２は、例えばモータドライバＩＣ（集積回路）である。駆動制御部８２は、駆動部１１０を駆動する駆動信号を生成し、生成した駆動信号によって駆動部１１０を駆動する。
【００４６】
＜通信部＞
通信部９０は、例えばＷｉ−Ｆｉ（Ｗｉｒｅｌｅｓｓ  Ｆｉｄｅｌｉｔｙ）規格や、Ｂｌｕｅｔｏｏｔｈ（登録商標）  ＬＥ（Ｌｏｗ  Ｅｎｅｒｇｙ）規格の通信方式を用いて、端末９等の外部機器との間で各種情報の送受信を行う。通信部９０は、端末９から受信した情報を主制御部８０に出力する。また、通信部９０は、主制御部８０が出力した情報を、端末９へ送信する。通信部９０は、例えばクロノグラフモードにおいて計測した計測時間等の情報を端末９へ送信する。
【００４７】
＜記憶部＞
記憶部１００は、例えば、ＲＡＭ（Ｒａｎｄｏｍ  Ａｃｃｅｓｓ  Ｍｅｍｏｒｙ、ランダムアクセスメモリ）やＲＯＭ（Ｒｅａｄ  Ｏｎｌｙ  Ｍｅｍｏｒｙ）等の不揮発性の記憶媒体である。記憶部１００は、主制御部８０が通信部９０を介して端末９から取得した情報や、クロノグラフモードにおいて計測した計測時間等を記憶する。
【００４８】
＜駆動部＞
駆動部１１０は、複数のステッピングモータ１１１Ａ〜１１１Ｇと、複数の輪列１１２Ａ〜１１２Ｇと、を備えている。複数のステッピングモータ１１１Ａ〜１１１Ｇは、第１ステッピングモータ１１１Ａ（第１モータ）、第２ステッピングモータ１１１Ｂ（第２モータ）、第３ステッピングモータ１１１Ｃ（第３モータ）、第４ステッピングモータ１１１Ｄ、第５ステッピングモータ１１１Ｅ、第６ステッピングモータ１１１Ｆおよび第７ステッピングモータ１１１Ｇである。複数の輪列１１２Ａ〜１１２Ｇは、第１輪列１１２Ａ（輪列機構）、第２輪列１１２Ｂ（輪列機構）、第３輪列１１２Ｃ、第４輪列１１２Ｄ、第５輪列１１２Ｅ、第６輪列１１２Ｆおよび第７輪列１１２Ｇであって、それぞれ少なくとも１つの歯車を含んで構成されている。複数のステッピングモータ１１１Ａ〜１１１Ｇ、および複数の輪列１１２Ａ〜１１２Ｇは、ケース１０の胴１１の内側に配置された図示しない地板等に取り付けられている。
【００４９】
各ステッピングモータ１１１Ａ〜１１１Ｇは、駆動制御部８２が出力した駆動パルスによって動作する。第１ステッピングモータ１１１Ａは、第１輪列１１２Ａを介して時針３１を回転駆動する。第２ステッピングモータ１１１Ｂは、第２輪列１１２Ｂを介して分針３２を回転駆動する。第３ステッピングモータ１１１Ｃは、第３輪列１１２Ｃを介して秒針３３を回転駆動する。第４ステッピングモータ１１１Ｄは、第４輪列１１２Ｄを介して小時針３４を回転駆動する。第５ステッピングモータ１１１Ｅは、第５輪列１１２Ｅを介して小分針３５を回転駆動する。第６ステッピングモータ１１１Ｆは、第６輪列１１２Ｆを介してモード針３６を回転駆動する。第７ステッピングモータ１１１Ｇは、第７輪列１１２Ｇを介して日車３８を回転駆動する。
【００５０】
第１輪列１１２Ａの減速比は、第１ステッピングモータ１１１Ａが所定ステップ数ステップ動作することで、時針３１が第１回転軸Ｏ回りに１周するように設定されている。また、第２輪列１１２Ｂの減速比は、第２ステッピングモータ１１１Ｂが所定ステップ数ステップ動作することで、分針３２が第１回転軸Ｏ回りに１周するように設定されている。第１輪列１１２Ａおよび第２輪列１１２Ｂは、時針３１および分針３２の１周にかかる所定ステップ数が同一となるように構成されている。すなわち、時針３１および分針３２は、１ステップ毎の回転角度が同一となっている。所定ステップ数は、６０の倍数であることが望ましく、さらには６０に２のＮ乗（Ｎは１以上の整数）を乗じた値であることがより望ましい。第３輪列１１２Ｃの減速比は、第３ステッピングモータ１１１Ｃが６０回ステップ動作することで、秒針３３が第１回転軸Ｏ回りに１周するように設定されている。第３輪列１１２Ｃは、秒針３３の１周にかかるステップ数が６０となるように構成されている。
【００５１】
＜時計の動作＞
次に、第１実施形態に係る時計１の動作について説明する。
主制御部８０は、入力部７０からの入力に応じて、時計１が実行する動作モードを切り替える。ここで、動作モードは、上述した時計モードやクロノグラフモード、タイマーモード、デュアルタイムモード等を有する。クロノグラフモードにおける時間計測は、時針３１によるスプリットタイムの表示を含んでいる。各動作モードは、入力部７０が操作されることで切り替わる。
【００５２】
主制御部８０は、時計モードが選択された場合に、モード目盛２４のうち時計モードを意味する文字列等（図示の例では「Ｍｏｄｅ１」と記載された文字列）をモード針３６が指示するように、第６ステッピングモータ１１１Ｆを制御する。また、主制御部８０は、クロノグラフモードが選択された場合に、モード目盛２４のうちクロノグラフモードを意味する文字列等（図示の例では「Ｍｏｄｅ２」と記載された文字列）をモード針３６が指示するように、第６ステッピングモータ１１１Ｆを制御する。
【００５３】
図３は、第１実施形態に係る時計が実行する動作モード切り替えの処理の流れを示したフローチャートである。図４は、第１実施形態に係る時計の動作モード切り替え時における動作を説明する図である。
図３に示すように、主制御部８０は、時計モードを含むクロノグラフモード以外の動作モードが選択されている場合に入力部７０（例えば竜頭７４）が操作されると（ステップＳ１０）、クロノグラフモードに移行してステップＳ２０の処理を実行する。主制御部８０は、入力部７０が再度操作されるまでの間（ステップＳ３０）、ステップＳ２０の処理を実行する。ステップＳ３０において入力部７０が再度操作されると、主制御部８０は、動作モードをクロノグラフモードからクロノグラフモード以外の動作モードに切り替える。ステップＳ２０の処理については後述する。なお、クロノグラフモードが選択された場合に、主制御部８０は、時計モードが選択された場合に主時計部２が表示していた現在時刻を小時計部３が表示するように、第４ステッピングモータ１１１Ｄおよび第５ステッピングモータ１１１Ｅを制御する。
【００５４】
主制御部８０は、ステップＳ３０において入力部７０が再度操作されると、ステップＳ４０〜Ｓ６０の処理を実行する。ステップＳ４０〜Ｓ６０では、主制御部８０は、時針３１および分針３２をそれぞれの目標位置まで互いに逆方向に回転させるように制御する。
【００５５】
具体的に、ステップＳ４０〜Ｓ６０では、以下の処理を実行する。ステップＳ４０では、主制御部８０は、時針３１の現在位置から目標位置までの反時計回り方向における距離（角度）が、分針３２の現在位置から目標位置までの反時計回り方向における距離（角度）よりも小さいか否かを判定する。なお、時針３１および分針３２の目標位置とは、動作モードの切り替え後における時針３１および分針３２の位置である。例えば、動作モードをクロノグラフモードから時計モードに切り替える場合には、時針３１および分針３２の目標位置は、現在時刻を示す位置である。時針３１の現在位置から目標位置までの反時計回り方向における距離が、分針３２の現在位置から目標位置までの反時計回り方向における距離よりも小さいと主制御部８０が判定した場合（Ｓ４０：Ｙｅｓ）、ステップＳ５０の処理を行う。時針３１の現在位置から目標位置までの反時計回り方向における距離が、分針３２の現在位置から目標位置までの反時計回り方向における距離以上と主制御部８０が判定した場合（Ｓ５０：Ｙｅｓ）、ステップＳ６０の処理を行う。
【００５６】
ステップＳ５０では、主制御部８０は、時針３１を反時計回り方向に逆転させて目標位置に移動させるとともに、分針３２を時計回り方向に正転させて目標位置に移動させる。また、主制御部８０は、秒針３３を正転させて目標位置に移動させる。例えば、ステップＳ５０では、図４に示すように、時針３１、分針３２および秒針３３の目標位置が８時１９分５５秒の位置であって、時針３１、分針３２および秒針３３が０時の位置に位置する場合、主制御部８０は、時針３１を逆転させ、分針３２および秒針３３を正転させる。
【００５７】
ステップＳ６０では、主制御部８０は、時針３１を正転させて目標位置に移動させるとともに、分針３２を逆転させて目標位置に移動させる。また、主制御部８０は、秒針３３を正転させて目標位置に移動させる。
以上により、時計モードを含むクロノグラフモード以外の動作モードからクロノグラフモードへの切り替え、およびクロノグラフモードからクロノグラフモード以外の動作モードへの切り替えが完了する。
【００５８】
なお、本実施形態では、ステップＳ４０、ステップＳ５０およびステップＳ６０において、時針３１の現在位置から目標位置までの反時計回り方向における距離が、分針３２の現在位置から目標位置までの反時計回り方向における距離と等しい場合には、分針３２を逆転させる。しかしながらこれに限定されず、時針３１の現在位置から目標位置までの反時計回り方向における距離が、分針３２の現在位置から目標位置までの反時計回り方向における距離と等しい場合には、時針３２を逆転させてもよい。例えば、時針３１および分針３２の１周にかかるステップ数が相違するように第１輪列１１２Ａおよび第２輪列１１２Ｂが構成されている場合には、時針３１および分針３２のうち１周にかかるステップ数が少ない針を逆転させることが望ましい。
【００５９】
続いてステップＳ２０の処理について説明する。
図５は、第１実施形態に係る時計が実行するクロノグラフモードの処理の流れを示したフローチャートである。図６は、第１実施形態に係る時計における針を基準位置へ移動させる処理の流れを示したフローチャートである。図７は、第１実施形態に係る時計における時針の運針を再開させる処理の流れを示したフローチャートである。図８から図１４は、第１実施形態に係る時計のクロノグラフモードにおける動作を説明する図である。なお、図５では、スタート／ストップボタンを「Ｓ／Ｓボタン」と記載している（以下の図面でも同様）。図５に示す処理は、上述したステップＳ２０の処理に対応する。
図５に示すように、主制御部８０は、クロノグラフモードが選択されると、ステップＳ２０において最初にステップＳ１０２の処理を実行する。
【００６０】
（ステップＳ１０２）
主制御部８０は、時針３１、分針３２および秒針３３を基準位置（０時の位置）に移動させる。続いて、ステップＳ１０４の処理に進む。
【００６１】
ここで、ステップＳ１０２の処理について詳述する。
図６に示すように、主制御部８０は、ステップＳ１０２において最初にステップＳ３０２（針位置判定ステップ）の処理を実行する。
【００６２】
（ステップＳ３０２）
主制御部８０は、時針３１および分針３２が基準位置（０時の位置）から所定の角度範囲外に位置しているか否かを判定する。所定の角度範囲は、任意に設定できる。例えば、所定の角度範囲は、基準位置を中心とした時計回り方向および反時計回り方向の双方向における３０°以内の範囲である。時針３１および分針３２が基準位置から所定の角度範囲外に位置していると主制御部８０が判定した場合（Ｓ３０２：Ｙｅｓ）、ステップＳ３０４（２方向帰針ステップ）の処理に進む。時針３１および分針３２のうちすくなくとも一方が基準位置から所定の角度範囲外に位置していないと主制御部８０が判定した場合（Ｓ３０２：Ｎｏ）、ステップＳ３０６（最短帰針ステップ）の処理に進む。
【００６３】
（ステップＳ３０４）
主制御部８０は、時針３１および分針３２を互いに逆方向に回転させて基準位置に移動させる。具体的に、主制御部８０は、時針３１および分針３２の一方を正転させて基準位置に移動させ、時針３１および分針３２の他方を逆転させて基準位置に移動させる。また、主制御部８０は、秒針３３を正転させて基準位置に移動させる。例えば、ステップＳ３０４では、主制御部８０は、図８に示すように時針３１および分針３２を移動させる。具体的に、図８に示すように、時針３１が基準位置から時計回り方向に２４０°の位置（８時の位置）に位置し、分針３２が基準位置から時計回り方向に１２０°の位置（４時の位置）に位置する場合、主制御部８０は、時針３１を正転させ、分針３２を逆転させる。続いて、ステップＳ１０４の処理に進む。なお、時針３１および分針３２のうち、正転させる針および逆転させる針の組み合わせは、例えば基準位置への移動中に時針３１および分針３２が第１回転軸Ｏの軸方向から見て互いに重ならない組み合わせが望ましい。すなわち、時針３１および分針３２のうち反時計回り方向における現在位置から基準位置までの距離が遠い一方の針を正転させ、他方の針を逆転させることが望ましい。
【００６４】
（ステップＳ３０６）
主制御部８０は、時針３１および分針３２を第１回転軸Ｏ回りの周方向における最短距離で基準位置に移動させる。また、主制御部８０は、秒針３３を正転させて基準位置に移動させる。例えば、ステップＳ３０６では、主制御部８０は、図９に示すように時針３１および分針３２を移動させる。具体的に、図９に示すように、時針３１が基準位置から時計回り方向に３０°の位置（１時の位置）に位置し、分針３２が基準位置から時計回り方向に１２０°の位置（４時の位置）に位置する場合、主制御部８０は、時針３１および分針３２を逆転させる。続いて、ステップＳ１０４の処理に進む。
【００６５】
（ステップＳ１０４）
主制御部８０は、スタート／ストップボタン７１が操作されたか否かを判定する。スタート／ストップボタン７１が操作されたと主制御部８０が判定した場合（Ｓ１０４：Ｙｅｓ）、ステップＳ１０６（運針開始ステップ）の処理に進み、時間計測を開始する。スタート／ストップボタン７１が操作されていないと主制御部８０が判定した場合（Ｓ１０４：Ｎｏ）、再度ステップＳ１０４の処理に進む。
【００６６】
（ステップＳ１０６）
主制御部８０は、図１０に示すように、時針３１、分針３２および秒針３３の運針を同時に開始させる。具体的に、主制御部８０は、第１ステッピングモータ１１１Ａ、第２ステッピングモータ１１１Ｂおよび第３ステッピングモータ１１１Ｃに駆動パルスを印加することにより、時針３１、分針３２および秒針３３を正転駆動する。なお、本実施形態のクロノグラフモードでは、時針３１および分針３２に計測時間の秒を指示させ、秒針３３に計測時間の分を指示させる。図１０に示す例では、時計１は、計測開始時からの経過時間として、０分１３秒を表示している。続いて、ステップＳ１０８の処理に進む。
【００６７】
なお、本実施形態では、秒針３３は、１周にかかるステップ数が６０となっているので、計測開始後の１分間は、図１０に示すように秒針３３は基準位置に位置したままとなる。ただし、秒針３３の１周にかかるステップ数が６０よりも大きくなるように第３輪列１１２Ｃが構成されている場合には、この限りではない。例えば、秒針３３の１周にかかるステップ数が１２０となるように第３輪列が構成されている場合、時間計測開始の３０秒後に、秒針３３は基準位置から１ステップ回転する。
【００６８】
ステップＳ１０６において、主制御部８０は、第１ステッピングモータ１１１Ａおよび第２ステッピングモータ１１１Ｂのそれぞれに対して、同時に駆動パルスを出力する。これにより、第１ステッピングモータ１１１Ａおよび第２ステッピングモータ１１１Ｂは、時針３１および分針３２を同時に回転駆動する。時針３１および分針３２は、１ステップ毎の回転角度が同一となっているので、第１回転軸Ｏの軸方向から見て重なった状態で運針する。
【００６９】
（ステップＳ１０８）
主制御部８０は、リセットボタン７２が操作されたか否かを判定する。リセットボタン７２が操作されたと主制御部８０が判定した場合（Ｓ１０８：Ｙｅｓ）、ステップＳ１１０の処理に進む。リセットボタン７２が操作されていないと主制御部８０が判定した場合（Ｓ１０８：Ｎｏ）、ステップＳ１２０の処理に進む。
【００７０】
（ステップＳ１１０）
主制御部８０は、図１１に示すように、時針３１の運針を停止させる。主制御部８０は、運針を停止した時針３１によりスプリットタイム（停止時の計測時間）を指示させつつ、運針を継続する分針３２および秒針３３により計測開始時からの全経過時間を指示させて時間計測を継続させることができる。図１１に示す例では、時計１は、スプリットタイムとして０分１３秒を表示し、計測開始時からの全経過時間として０分１７秒を表示している。続いて、ステップＳ１１２の処理に進む。
【００７１】
（ステップＳ１１２）
主制御部８０は、リセットボタン７２が操作されたか否かを判定する。リセットボタン７２が操作されたと主制御部８０が判定した場合（Ｓ１１２：Ｙｅｓ）、ステップＳ１１４の処理に進む。リセットボタン７２が操作されていないと主制御部８０が判定した場合（Ｓ１１２：Ｎｏ）、ステップＳ１１６の処理に進む。
【００７２】
（ステップＳ１１４）
主制御部８０は、時針３１の運針を再開する。続いて、ステップＳ１０８の処理に進む。
【００７３】
ここで、ステップＳ１１４の処理について詳述する。
図７に示すように、主制御部８０は、ステップＳ１１４において最初にステップＳ４０２の処理を実行する。
【００７４】
（ステップＳ４０２）
主制御部８０は、ステップＳ４０２において時針３１の運針を停止してから１分以上経過したか否かを判定する。時針３１の運針を停止してから１分以上経過したと主制御部８０が判定した場合（Ｓ４０２：Ｙｅｓ）、ステップＳ４０４の処理に進む。時針３１の運針を停止してから１分以上経過していないと主制御部８０が判定した場合（Ｓ４０２：Ｎｏ）、ステップＳ４０６の処理に進む。
【００７５】
（ステップＳ４０４）
主制御部８０は、図１２に示すように、時針３１を分針３２の位置まで正転早送りする。すなわち、主制御部８０は、計測開始時からの全経過時間を指示する位置にまで時針３１を正転早送りする。この際、主制御部８０は、時針３１を１周正転早送りした後、連続して分針３２と同じ位置まで正転早送りする。つまり、主制御部８０は、時針３１を少なくとも１周正転させる。その後、主制御部８０は、時針３１を分針３２に同期させて、時針３１および分針３２を計測開始時からの全経過時間を指示するように運針させる。図１２に示す例では、時計１は、時針３１の運針再開前に表示していたスプリットタイムが０分１３秒であって、計測開始時からの全経過時間として、１分２８秒を表示している。続いて、再度ステップＳ１０８の処理に進む。なお、主制御部８０は、ステップＳ４０４の処理において、時針３１を１周以上２周未満正転させてもよいし、時針３１の運針停止時間に応じて２周以上正転させてもよい。
【００７６】
（ステップＳ４０６）
主制御部８０は、図１３に示すように、時針３１を分針３２と同じ位置まで正転早送りする。すなわち、主制御部８０は、計測開始時からの全経過時間を指示する位置にまで時針３１を正転早送りする。その後、主制御部８０は、時針３１を分針３２に同期させて、時針３１および分針３２を計測開始時からの全経過時間を指示するように運針させる。図１３に示す例では、時計１は、時針３１の運針再開前に表示していたスプリットタイムが０分１３秒であって、計測開始時からの全経過時間として、０分２８秒を表示している。続いて、再度ステップＳ１０８の処理に進む。
【００７７】
（ステップＳ１１６）
主制御部８０は、スタート／ストップボタン７１が操作されたか否かを判定する。スタート／ストップボタン７１が操作されたと主制御部８０が判定した場合（Ｓ１１６：Ｙｅｓ）、ステップＳ１１８（運針停止ステップ）の処理に進み、時間計測を中断する。スタート／ストップボタン７１が操作されていないと主制御部８０が判定した場合（Ｓ１１６：Ｎｏ）、再度ステップＳ１１２の処理に進む。
【００７８】
（ステップＳ１１８）
主制御部８０は、分針３２および秒針３３の運針を停止させる。これにより、主制御部８０は、時間計測を中断する。続いて、ステップＳ１２４の処理に進む。
【００７９】
（ステップＳ１２０）
主制御部８０は、スタート／ストップボタン７１が操作されたか否かを判定する。スタート／ストップボタン７１が操作されたと主制御部８０が判定した場合（Ｓ１２０：Ｙｅｓ）、ステップＳ１２２（運針停止ステップ）の処理に進み、時間計測を中断する。スタート／ストップボタン７１が操作されていないと主制御部８０が判定した場合（Ｓ１２０：Ｎｏ）、再度ステップＳ１０８の処理に進む。
【００８０】
（ステップＳ１２２）
主制御部８０は、図１４に示すように、時針３１、分針３２および秒針３３の運針を停止させる。これにより、主制御部８０は、時間計測を中断する。なお、図１４に示す例では、時計１は、計測開始時から計測中断時までの全経過時間として１分４秒を表示している。続いて、ステップＳ１２４の処理に進む。
【００８１】
（ステップＳ１２４）
主制御部８０は、リセットボタン７２が操作されたか否かを判定する。リセットボタン７２が操作されたと主制御部８０が判定した場合（Ｓ１２４：Ｙｅｓ）、再度ステップＳ１０２の処理に進み、再計測の開始を待機する。リセットボタン７２が操作されていないと主制御部８０が判定した場合（Ｓ１２４：Ｎｏ）、ステップＳ１２６の処理に進む。
【００８２】
（ステップＳ１２６）
主制御部８０は、スタート／ストップボタン７１が操作されたか否かを判定する。スタート／ストップボタン７１が操作されたと主制御部８０が判定した場合（Ｓ１６：Ｙｅｓ）、再度ステップＳ１０６の処理に進み、時間計測を再開する。スタート／ストップボタン７１が操作されていないと主制御部８０が判定した場合（Ｓ１２６：Ｎｏ）、再度ステップＳ１２４の処理に進む。
【００８３】
このように、本実施形態の時計１は、クロノグラフモードが選択された場合に、時針３１および分針３２の運針を同時に開始させることで時間計測を開始し、時針３１の運針を停止させることでスプリットタイム（停止時の計測時間）を指示し、分針３２の運針を継続させることで時間計測を継続するように制御する主制御部８０を備える。この構成によれば、クロノグラフモードにおいて、時針３１および分針３２を用いて計測開始時からの全経過時間をスプリットタイムとともに表示できる。このため、計測開始時からの全経過時間をスプリットタイムとともに表示することを実現するにあたり、計測開始時からの全経過時間をスプリットタイムとともに表示するための、時針３１および分針３２以外の新たな針の設置を省略できる。したがって、新たな針の設置に伴うステッピングモータ等の駆動源や輪列機構等の設置も省略できるので、時計の構成部品の増加に伴う時計１の外形の大型化を抑制できる。
【００８４】
また、時計１は、第１ステッピングモータ１１１Ａおよび第２ステッピングモータ１１１Ｂにより、時針３１および分針３２を駆動するので、時針３１および分針３２をそれぞれ独立して運針させることができる。したがって、計測開始時からの全経過時間をスプリットタイムとともに表示する機能を容易に実現できる。
【００８５】
また、時計１は、時針３１および分針３２の１周にかかるステップ数が同一となるように構成された第１輪列１１２Ａおよび第２輪列１１２Ｂを備える。これにより、時針３１および分針３２の１ステップごとの回転角度が等しくなる。このため、クロノグラフモードが選択された場合に、時針３１および分針３２を重なった状態で運針させることができる。よって、時針３１および分針３２の運針時において、相対位置の位置ずれが防止される。したがって、時針および分針の１周にかかるステップ数が異なる場合と比較して、時針３１および分針３２による計測時間の指示の見栄えを向上させることができる。また、時針３１および分針３２が指示する計測時間のずれが抑制され、計測時間を精度良く表示することができる。
【００８６】
また、主制御部８０は、クロノグラフモードが選択された場合における停止時の計測時間の秒を指示する針として時針３１を制御するとともに、クロノグラフモードが選択された場合における時間計測の秒を継続する針として分針３２を制御する。さらに、主制御部８０は、クロノグラフモードが選択された場合における計測時間の分を指示する針として秒針３３を制御する。これにより、時計モードが選択された場合に時刻を指示する時針３１、分針３２および秒針３３を、クロノグラフモードにおける計測時間を指示する針として用いることができる。
【００８７】
また、主制御部８０は、クロノグラフモードが選択された場合に、時針３１の運針を再開する際、時針３１を分針３２の位置まで正転早送りさせるように制御する。これにより、時針３１を時間計測時と同じ方向に回転させることができるので、時針３１を分針３２の位置まで逆転させる場合と比較して、ユーザーに対する違和感の少ない挙動で時針３１の運針を再開させることができる。
【００８８】
また、主制御部８０は、クロノグラフモードが選択され、かつ時針３１の運針の再開が時針３１の運針停止から１分以上経過した場合、時針３１を少なくとも１周回転させる。これにより、時針３１の運針停止時間が１分以上であったことを時針３１の挙動により表現できる。
【００８９】
また、主制御部８０は、時針３１および分針３２を互いに逆方向に回転させて基準位置に移動させるステップ（ステップＳ３０４）を実行する。これにより、時間計測時とは異なる挙動により時針３１および分針３２を基準位置に移動させることができる。したがって、時間計測とは異なる動作を実行していることをユーザーに対して明確に示すことができる。しかも、時針３１および分針３２を同方向に回転させて基準位置に移動させる場合と比較して、ダイナミックな挙動をユーザーに示すことができる。
【００９０】
また、主制御部８０は、運針を停止された時針３１および分針３２のうち少なくとも一方が基準位置から所定の角度範囲外に位置していない場合、すなわち時針３１および分針３２のうち少なくとも一方が基準位置から所定の角度範囲内に位置している場合、時針３１および分針３２を最短距離で基準位置に移動させるステップ（ステップＳ３０６）を実行する。このため、前記一方の針の移動時間と、他方の針の移動時間と、の差の拡大を抑制することができる。これにより、時針３１および分針３２の基準位置への移動時間の増加を抑制することができる。
【００９１】
また、主制御部８０は、クロノグラフモードからクロノグラフモード以外の動作モードに切り替える場合に、時針３１および分針３２のそれぞれの目標位置まで、時針３１および分針３２を互いに逆方向に回転させるように制御する。これにより、時間計測時とは異なる挙動により時針３１および分針３２を移動させることができる。したがって、時間計測とは異なる動作を実行していることをユーザーに対して明確に示すことができる。しかも、時針３１および分針３２を同方向に回転させて目標位置に移動させる場合と比較して、ダイナミックな挙動をユーザーに示すことができる。
【００９２】
また、主制御部８０は、時針３１および分針３２のうち、現在位置から目標位置までの反時計回り方向における距離が短い一方の針を反時計回りに逆転させ、他方の針を時計回りに正転させるように制御する。このため、前記一方の針を時計回りに逆転させ、前記他方の針を反時計回りに正転させる場合と比較して、時針３１および分針３２の移動時間を短縮できる。したがって、動作モードの切り替えを速やかに行うことが可能となる。
【００９３】
ここで、針による計測時間の指示の見栄えおよび精度を向上させるためには、計測時間の秒を指示する針の１周にかかるステップ数を大きくすることが望ましい。しかしながら、計測時間を指示する針の１周にかかるステップ数を大きくした場合、時計モードが選択された場合における針の運針に伴うステッピングモータへの駆動パルスの印加回数も増加し、消費電力が増加する。計測時間の秒を指示する針として秒針３３を用いた場合、計測時間の秒を指示する針として時針３１や分針３２を用いた場合と比較して、時計モードが選択された場合におけるステッピングモータへの駆動パルスの印加回数は増加する。これにより、時計１が太陽電池４１の発電した電力により動作する場合、電力不足が生じるおそれがある。
本実施形態では、時針３１および分針３２が計測時間の秒を指示する針であるので、太陽電池４１が発電した電力が不足することを抑制できる。
【００９４】
また、時針３１および分針３２の１周にかかるステップ数は６０の倍数である。このため、時針３１および分針３２の１周にかかるステップ数が６０よりも小さい場合と比較して、時針３１および分針３２に計測時間をより細かく指示させることができる。したがって、計測時間を精度良く表示できる時計１とすることができる。
【００９５】
しかも、時針３１および分針３２の１周にかかるステップ数は６０に２のＮ乗（Ｎは１以上の整数）を乗じた値である。このため、分周回路６０から出力された信号を、主制御部８０において容易に分周することができる。したがって、計測時間を精度良く表示できる時計１を容易に構成することができる。
【００９６】
また、主制御部８０は、クロノグラフモードが選択された場合に、時計モードが選択された場合に主時計部２において表示していた現在時刻を小時計部３において表示する。このため、クロノグラフモードが選択された場合においても現在時刻を表示できる時計１とすることができる。
【００９７】
また、時計１は、クロノグラフモードにおいて計測した計測時間を端末９に送信することが可能な通信部９０を備える。このため、例えば端末９において計測時間を記録してデータを蓄積することが可能となる。
【００９８】
そして、本実施形態の時計１は、時針３１、分針３２および秒針３３により時刻を表示する時計モードと、時針３１でスプリットタイムを指示するクロノグラフモードと、を選択可能である。このため、スプリットタイムを表示するための、時針３１、分針３２および秒針３３以外の新たな針の設置を省略できる。したがって、新たな針の設置に伴うステッピングモータ等の駆動源や輪列等の設置も省略できるので、時計１の構成部品の増加に伴う時計１の外形の大型化を抑制できる。
【００９９】
［第１実施形態の変形例］
次に、第１実施形態の変形例に係る時計の構成について説明する。
図１５は、第１実施形態の変形例に係る時計の構成例を示すブロック図である。
図１５に示すように、時計１０１は、ケース１０と、表示部２０と、電源部４０と、発振回路５０と、分周回路６０と、入力部７０と、主制御部８０Ａ（制御部）と、記憶部１００と、複数のモータユニット１２０Ａ，１２０Ｂ，１２０Ｃ，１２０Ｄと、を備えている。なお、以下では、複数のモータユニット１２０Ａ，１２０Ｂ，１２０Ｃ，１２０Ｄのうち１つを特定しない場合は、単にモータユニットという。他の構成部品についても同様である。
【０１００】
主制御部８０Ａは、入力部７０が出力した操作結果に基づいて、時計１が備える各構成要素の制御を行う。主制御部８０Ａは、例えばＣＰＵ（中央演算装置）である。主制御部８０Ａは、ステッピングモータを駆動するための指示信号をモータユニットの駆動制御部へ出力する。
【０１０１】
モータユニットは、それぞれ、駆動制御部と、ステッピングモータと、輪列と、支持体と、を備えている。なお、モータユニットの内部には、発振回路や記憶部等を設けることも可能である。支持体は、時計本体に対して着脱可能の別体のユニットの形態として構成され、当該形態はいわゆるカセットタイプやカートリッジタイプと称することもできる。この場合、モータユニットは、時計本体を完成品とした場合の半製品、中間製品として取り扱われるものである。
【０１０２】
ここで、支持体は、基板、ベースとなる地板、地板上に配置された部品を反対側から抑える受板、その他ケース部、ステッピングモータの回転軸が接合する軸受等を含む。地板上に基板が配置され、基板上に、配線、駆動制御部、ステッピングモータ、輪列等が配置される。これら部品を、受板により留めることでユニットが組み立てられる。なお、地板には、接続端子となる電極が配置され、この電極がユニット内部の電子部品とユニット外部（時計本体側）とを電気的に導通する役目を担う。
【０１０３】
第１モータユニット１２０Ａは、時針３１、分針３２および秒針３３を駆動する。第１モータユニット１２０Ａは、第１駆動制御部１２１Ａと、第１ステッピングモータ１１１Ａと、第２ステッピングモータ１１１Ｂと、第３ステッピングモータ１１１Ｃと、第１輪列１１２Ａと、第２輪列１１２Ｂと、第３輪列１１２Ｃと、第１支持体１２２Ａと、を備えている。第１駆動制御部１２１Ａは、例えばモータドライバＩＣ（集積回路）である。第１駆動制御部１２１Ａは、ステッピングモータ１１１Ａ，１１１Ｂ，１１１Ｃを駆動する駆動信号を生成し、生成した駆動信号によってステッピングモータ１１１Ａ，１１１Ｂ，１１１Ｃを駆動する。第１支持体１２２Ａは、第１モータユニット１２０Ａの外郭を形成する。第１支持体１２２Ａは、ステッピングモータ１１１Ａ，１１１Ｂ，１１１Ｃや輪列１１２Ａ，１１２Ｂ，１１２Ｃ、第１駆動制御部１２１Ａ等、第１モータユニット１２０Ａの各構成要素を支持している。
【０１０４】
第２モータユニット１２０Ｂは、小時針３４および小分針３５を駆動する。第２モータユニット１２０Ｂは、第２駆動制御部１２１Ｂと、第４ステッピングモータ１１１Ｄと、第４輪列１１２Ｄと、第５輪列１１２Ｅと、第２支持体１２２Ｂと、を備えている。第２駆動制御部１２１Ｂは、例えばモータドライバＩＣである。第２駆動制御部１２１Ｂは、第４ステッピングモータ１１１Ｄを駆動する駆動信号を生成し、生成した駆動信号によって第４ステッピングモータ１１１Ｄを駆動する。第２支持体１２２Ｂは、第２モータユニット１２０Ｂの外郭を形成する。第２支持体１２２Ｂは、第４ステッピングモータ１１１Ｄや輪列１１２Ｄ，１１２Ｅ、第２駆動制御部１２１Ｂ等、第２モータユニット１２０Ｂの各構成要素を支持している。
【０１０５】
第３モータユニット１２０Ｃは、モード針３６を駆動する。第３モータユニット１２０Ｃは、第３駆動制御部１２１Ｃと、第６ステッピングモータ１１１Ｆと、第６輪列１１２Ｆと、第３支持体１２２Ｃと、を備えている。第３駆動制御部１２１Ｃは、例えばモータドライバＩＣである。第３駆動制御部１２１Ｃは、第６ステッピングモータ１１１Ｆを駆動する駆動信号を生成し、生成した駆動信号によって第６ステッピングモータ１１１Ｆを駆動する。第３支持体１２２Ｃは、第３モータユニット１２０Ｃの外郭を形成する。第３支持体１２２Ｃは、第６ステッピングモータ１１１Ｆや第６輪列１１２Ｆ、第３駆動制御部１２１Ｃ等、第３モータユニット１２０Ｃの各構成要素を支持している。
【０１０６】
第４モータユニット１２０Ｄは、日車３８を駆動する。第４モータユニット１２０Ｄは、第４駆動制御部１２１Ｄと、第７ステッピングモータ１１１Ｇと、第７輪列１１２Ｇと、第４支持体１２２Ｄと、を備えている。第４駆動制御部１２１Ｄは、例えばモータドライバＩＣである。第４駆動制御部１２１Ｄは、第７ステッピングモータ１１１Ｇを駆動する駆動信号を生成し、生成した駆動信号によって第７ステッピングモータ１１１Ｇを駆動する。第４支持体１２２Ｄは、第４モータユニット１２０Ｄの外郭を形成する。第４支持体１２２Ｄは、第７ステッピングモータ１１１Ｇや第７輪列１１２Ｇ、第４駆動制御部１２１Ｄ等、第４モータユニット１２０Ｄの各構成要素を支持している。
【０１０７】
このように、時計１０１がモータユニットを有する構成であっても、主制御部８０Ａが上述した第１実施形態の主制御部８０と同様の制御を行うことで、上述した第１実施形態と同様の作用効果を奏することができる。
【０１０８】
［第２実施形態］
次に、第２実施形態に係る時計の動作について説明する。
図１６は、第２実施形態に係る時計が実行するクロノグラフモードの処理の流れを示したフローチャートである。
図３および図５に示す第１実施形態では、主制御部８０は、入力部７０（例えば竜頭７４）が操作された場合（ステップＳ１０）に、時針３１、分針３２および秒針３３を基準位置に移動させ（ステップＳ３０４、ステップＳ３０６）、さらにスタート／ストップボタン７１が操作された場合（Ｓ１０４：Ｙｅｓ）に、時間計測開始する。これに対して図１６に示す第２実施形態では、主制御部８０は、入力部７０（例えばスタート／ストップボタン７１）が操作された場合（ステップＳ１０）に、時針３１、分針３２および秒針３３を基準位置に向けて移動させるとともに時間計測を開始する点（ステップＳ２０２）で、第１実施形態と異なっている。なお、第１実施形態と同様の構成および処理内容については、同一符号を付して詳細な説明を省略する。
【０１０９】
主制御部８０は、入力部７０からの入力に応じて、時計１が実行する動作モード（時計モードやクロノグラフモード、タイマーモード、デュアルタイムモード等）を切り替える。本実施形態では、主制御部８０は、時計モードが選択された場合にスタート／ストップボタン７１が操作されると（ステップＳ１０）、クロノグラフモードに移行してステップＳ２０の処理を実行する。主制御部８０は、スタート／ストップボタン７１が再度操作（例えば長押し）されるまでの間（ステップＳ３０）、ステップＳ２０の処理を実行する。主制御部８０は、クロノグラフモードが選択されると、ステップＳ２０において最初にステップＳ２０２の処理に進む。
【０１１０】
（ステップＳ２０２）
主制御部８０は、時針３１、分針３２および秒針３３を基準位置に向けて移動させるとともに、時針３１、分針３２および秒針３３の運針を同時に開始させる。主制御部８０は、ステップＳ１０（図３参照）においてスタート／ストップボタン７１が操作された時点から時間計測を開始する。また。主制御部８０は、時針３１、分針３２および秒針３３を、時計モードにおいて現在時刻を指示していた位置から、基準位置に向けて移動させる。主制御部８０は、時針３１や分針３２、秒針３３が基準位置に向けた移動中に計測開始時からの経過時間に対応する位置を達した場合に、針の駆動の制御を時間計測の運針に順次切り替える。続いてステップＳ１０８の処理に進む。なお、ステップＳ２０２は、第１実施形態におけるステップＳ３０２と同様の判定処理、並びにステップＳ３０４およびステップＳ３０６と同様の処理を含んでいてもよい。
【０１１１】
（ステップＳ１２４）
図５に示す第１実施形態では、リセットボタン７２が操作されたと主制御部８０が判定した場合（Ｓ１２４：Ｙｅｓ）、ステップＳ１０２に進む。これに対して第２実施形態では、リセットボタン７２が操作されたと主制御部８０が判定した場合（Ｓ１２４：Ｙｅｓ）、ステップＳ２２８の処理に進む。
【０１１２】
（ステップＳ２２８）
主制御部８０は、時針３１、分針３２および秒針３３を基準位置に移動させる。続いて、ステップＳ２３０の処理に進む。
【０１１３】
（ステップＳ２３０）
主制御部８０は、スタート／ストップボタン７１が操作されたか否かを判定する。スタート／ストップボタン７１が操作されたと主制御部８０が判定した場合（Ｓ２３０：Ｙｅｓ）、ステップＳ２３２の処理に進み、時間計測を開始する。スタート／ストップボタン７１が操作されていないと主制御部８０が判定した場合（Ｓ２３０：Ｎｏ）、再度ステップＳ２３０の処理に進む。
【０１１４】
（ステップＳ２３２）
主制御部８０は、時針３１、分針３２および秒針３３の運針を同時に開始させる。具体的な処理は、第１実施形態のステップＳ１０６と同様である。
【０１１５】
（ステップＳ１２６）
図５に示す第１実施形態では、スタート／ストップボタン７１が操作されたと主制御部８０が判定した場合（Ｓ１２６：Ｙｅｓ）、ステップＳ１０６の処理に進む。これに対して第２実施形態では、スタート／ストップボタン７１が操作されたと主制御部８０が判定した場合（Ｓ１２６：Ｙｅｓ）、ステップＳ２３２の処理に進み、時間計測を再開する。
【０１１６】
このように、本実施形態によれば、主制御部８０は、スタート／ストップボタン７１からの入力に応じて、時針３１、分針３２および秒針３３を基準位置に向けて移動させるとともに、時間計測を開始する。このため、時計モードを選択していた場合に、クロノグラフモードの選択、およびクロノグラフモードにおける時間計測の開始を、スタート／ストップボタン７１の１回の操作で行うことができる。したがって、迅速に時間計測を開始できる時計１とすることができる。
【０１１７】
なお、上記各実施形態では、スプリットタイムを時針３１により指示させる際に、スタート／ストップボタン７１を操作することにより、時針３１の運針を停止させているが、時針３１の運針の停止方法はこれに限定されない。例えば、通信部９０は、マラソン等のコース上における所定地点に敷設される計時用マット（外部機器）から送信された電波を受信可能に形成され、主制御部８０は、通信部９０が計時用マットから送信された電波を受信することにより、時針３１の運針を停止させる処理、および時針３１の運針を停止させる処置のうち少なくとも１つの処理を実行させてもよい。この構成によれば、マラソン等においてコース上に敷設された計時用マットの近くを使用者が通過した際に、自動的に時間計測を開始したり、スプリットタイムを計測して表示したりすることが可能となる。したがって、スプリットタイムの計測が容易な時計１とすることができる。
【０１１８】
なお、本発明は、図面を参照して説明した上述の実施形態に限定されるものではなく、その技術的範囲において様々な変形例が考えられる。
例えば、上記実施形態においては、クロノグラフモードが選択された場合に、時針３１の運針を停止させることでスプリットタイムを表示しているが、運針を停止させる針は時針３１に限定されない。例えば、分針３２の運針を停止させることでスプリットタイムを表示するように構成されていてもよい。
【０１１９】
また、上記実施形態においては、スプリットタイムを表示する際に、時針３１の運針を停止させるとともに分針３２および秒針３３の運針を継続しているが、これに限定されない。例えば、スプリットタイムを表示する際に、時針３１および秒針３３の運針を停止させて、時針３１にスプリットタイムの秒を指示させ、秒針３３にスプリットタイムの分を指示させるように構成していてもよい。
【０１２０】
また、上記実施形態においては、時針３１、分針３２および秒針３３を用いて時間計測を行っているが、これに限定されない。時針３１、分針３２および秒針３３のうち少なくとも２つの針を用い、一方の針の運針を停止させて停止時の計測時間を指示し、他方の針の運針を継続させることで時間計測を継続するように構成されていてもよい。
【０１２１】
また、上記実施形態においては、主制御部８０は、ステップＳ１０，Ｓ３０において動作モードの切り替え条件として、入力部７０の特定の部材の操作（長押しを含む）を条件としているが、これに限定されない。例えば主制御部は、動作モードの切り替え条件として、入力部７０の複数の部材の同時操作を条件としてもよい。
【０１２２】
また、上記実施形態においては、モード針３６は、第６ステッピングモータ１１１Ｆの駆動力により駆動されるが、これに限定されない。モード針３６は、例えばユーザーが入力部７０（例えば竜頭７４）を操作した力を動力源として駆動されるように構成されていてもよい。
【０１２３】
その他、本発明の趣旨を逸脱しない範囲で、上記した実施の形態における構成要素を周知の構成要素に置き換えることは適宜可能であり、また、上述した各実施形態および各変形例を適宜組み合わせてもよい。
【符号の説明】
【０１２４】
１…時計  ３…小時計部（副表示部）  ９…端末（外部機器）  ３１…時針（針、第１針）  ３２…分針（針、第２針）  ３３…秒針（針）  ４１…太陽電池  ７０…入力部  ７１…スタート／ストップボタン（入力部）  ８０，８０Ａ…主制御部（制御部）  ９０…通信部  １１１Ａ…第１ステッピングモータ  １１１Ｂ…第２ステッピングモータ  １１１Ｃ…第３ステッピングモータ  １１２Ａ…第１輪列（輪列機構）  １１２Ｂ…第２輪列（輪列機構）
【図１】
2018116042.tif 000003
【図２】
2018116042.tif 000004
【図３】
2018116042.tif 000005
【図４】
2018116042.tif 000006
【図５】
2018116042.tif 000007
【図６】
2018116042.tif 000008
【図７】
2018116042.tif 000009
【図８】
2018116042.tif 000010
【図９】
2018116042.tif 000011
【図１０】
2018116042.tif 000012
【図１１】
2018116042.tif 000013
【図１２】
2018116042.tif 000014
【図１３】
2018116042.tif 000015
【図１４】
2018116042.tif 000016
【図１５】
2018116042.tif 000017
【図１６】
2018116042.tif 000018